(57)【要約】      （修正有）【課題】ＬＥＤ光源の入射光により導光線の表面全体を光らせると共に、前記導光線に連繋する導光板を導光線の表面より明るく強調的に光らせる線状発光体を提供する。【解決手段】線状発光体１００は、入射光を一端側から他端側に導光すると共に，側面が光るよう構成した導光線１と、導光板４０とを連繋してなり、前記導光線１の一端側から入射したＬＥＤ２光源の光により前記導光線１の側面と前記導光板４０とが発光する構成。【選択図】図１
0003182297.tif 000002
【実用新案登録請求の範囲】
【請求項１】
入射光を一端側から他端側に導光すると共に側面が光るよう構成した導光線と、導光板または導光性接続部材のいずれか一方とを連繋してなり、前記導光線の一端側から入射したＬＥＤ光源の光により前記導光線の側面と、前記導光板または導光性接続部材のいずれか一方とが発光するようにしたことを特徴とする線状発光体。
【請求項２】
導光板または導光性接続部材のいずれか一方をＡＢＳ、ＰＶＣ、ＰＥの内、いずれか一つで構成したことを特徴とする請求項１記載の線状発光体。
【請求項３】
複数の導光線を導光性接続部材で直列に連繋してなり、前記連繋した導光線の一端側から入射したＬＥＤ光源の光により前記複数の導光線の側面と前記導光性接続部材とが発光するようにしたことを特徴とする請求項１記載の線状発光体。
【請求項４】
連繋した導光線の他端側からもＬＥＤ光源の光を入射させ、一端側から入射した光の色と前記他端側から入射した光の色とを異ならせたことを特徴とする請求項３記載の線状発光体。
【考案の詳細な説明】
【技術分野】
【０００１】  本考案は、ＬＥＤ（発光ダイオード）光源の光を導光線の端面に当て、前記導光線の側面全体と前記導光線に連繋した導光体（導光板、導光性接続部材など）とを発光させるようにした線状発光体に関する。
【背景技術】
【０００２】  従来の線状発光体として、側面全体が発光可能な複数の光ファイバーを巾木により長尺状に接続し、ＬＥＤにより発光させることにより保安灯ないし誘導灯として機能するものが実用新案登録第３１６０８６８号公報に提案されている。
【先行技術文献】
【特許文献】
【０００３】
【特許文献１】実用新案登録第３１６０８６８号公報
【考案の概要】
【考案が解決しようとする課題】
【０００４】しかし上記した従来の線状発光体は、複数の光ファイバーの表面が光るのみで、接続部材が光ファイバーの表面より明るく強調的に光るものでなかった。また、ＬＥＤの光を光ファイバーの両端から入射させる構成でもなかった。【０００５】  本考案は、ＬＥＤ光源の入射光により導光線の表面全体が光らせると共に、前記導光線に連繋する導光板（または導光性接続部材）を導光線の表面より明るく強調的に光らせることを目的とする。また、導光線の両端側からＬＥＤの光を入射可能にすることを目的とする。
【課題を解決するための手段】
【０００６】  本考案にかかる線状発光体は、入射光を一端側から他端側に導光すると共に側面が光るよう構成した導光線と、導光板または導光性接続部材のいずれか一方とを連繋してなり、前記導光線の一端側から入射したＬＥＤ光源の光により前記導光線の側面と、前記導光板または導光性接続部材のいずれか一方とが発光するようにしたことを特徴としたもので、これにより発光面積が大きく、よく目立つ。その結果、視認性が高まる。【０００７】  さらに、本考案にかかる線状発光体は上記記載において、導光板または導光性接続部材のいずれか一方を透光性のＡＢＳ（アクリロニトリルブタジェン）、ＰＶＣ（ポリ塩化ビニール）、ＰＥ（ポリエチレン）の内、いずれか一つで構成したことを特徴としたもので、これにより導光板が導光線より明るく光る。【０００８】  さらに、本考案にかかる線状発光体は上記記載において、複数の導光線を導光性接続部材で直列に連繋してなり、前記連繋した導光線の一端側から入射したＬＥＤ光源の光により前記複数の導光線の側面と前記導光性接続部材とが発光するようにしたことを特徴としたもので、これにより発光長さが長くなり視認性が高まる。また、装飾性も高まる。【０００９】  さらに、本考案にかかる線状発光体は上記記載において、連繋した導光線の他端側からもＬＥＤ光源の光を入射させ、一端側から入射した光の色と前記他端側から入射した光の色とを異ならせたことを特徴としたもので、これにより多色で目立ち、装飾性が高まる。【００１０】  さらに、本考案にかかる線状発光体は上記記載において、ＬＥＤ光源に供給する電力手段を取替式電池または太陽電池のいずれか一方としたことを特徴としたもので、これにより線状発光体を携帯できる。
【考案の効果】
【００１１】  上記構成により本考案の線状発光体は、ＬＥＤ光源の入射光により導光線の表面全体を光らせると共に、前記導光線に連繋する導光板（または導光性接続部材）を導光線の表面より明るく強調的に光らせることができる。また、導光線の両端側からＬＥＤの光を入射可能にする。その結果、視認性や装飾性が高まる。
【図面の簡単な説明】
【００１２】
【図１】  本考案の一実施形態における線状発光体の概略構成図
【図２】  本考案を構成するもう一つの電源の概略構成斜視図
【図３】  本考案のもう一つの実施形態における線状発光体の概略構成図
【図４】  本考案のもう一つの実施形態における線状発光体の概略構成図
【図５】  本考案を構成する導光性接続部材の断面図
【図６】  本考案のもう一つの実施形態における線状発光体の概略構成図
【考案を実施するための形態】
【００１３】  本考案にかかる線状発光体は上述の通りである。導光線は透明なコア材１１とこのコア材よりも屈折率の小さなクラッド材１２とよりなる。詳しくは、透明フッ素樹脂を直径１〜５ｍｍのコア材１１とし、長尺の線状に押出加工すると同時に、その外周に、０．２〜１．０ｍｍ厚程度の被膜の透明塩化ビニール樹脂層を二色成形、すなわち、共押出加工して、２〜６ｍｍψ程度の透明性と光特性の優れた二層の断面円形導光線を形成する。該導光線は、端面よりＬＥＤ光を点灯させると、光がコア材１１の中を通過し、他端の端面まで光が到達する。さらに、導光線の側面全体も明るく光る状態を形成する。特に、ＬＥＤ光を光の三原色である赤・緑・青の光源にすると際立った着色透明光が導光線全体を発光させる。
【００１４】  導光線に連繋する導光板は、透光性樹脂のＡＢＳ（アクリロニトリルブタジェン）、ＰＶＣ（ポリ塩化ビニール）、ＰＥ（ポリエチレン）の内、いずれか一つで構成するのが好ましい。なお、透光性樹脂は微小な光分散材を含有していてもよいし、透光性乳白色を呈していてもよい。導光板は矩形、円形、楕円、さらに、板状に限らず円柱や角柱などの棒状、球状など任意の形状とすればよい。
【００１５】  導光性接続部材も導光板と同部材で構成するのが好ましい。導光性接続部材は例えば、貫通孔を備えた円筒状または角筒状とするのが好ましい。導光性接続部材は貫通孔に導光線を両側より挿通し、接着固定して導光線を数ｍ〜数十ｍの長さに連繋可能にする。前記導光板および導光性接続部材は導光線の側面から出る光および導光線の端面から出て乱反射する光により明るく発光する。
【００１６】  ＬＥＤを発光させる電源３及び５０〜５３は、光源への給電を行うためのものであり、バッテリ、ＤＣ／ＡＣ電源等の電源からＬＥＤを点灯するための直流電源を発生する電気回路（抵抗やトランジスタ、定電流ダイオードなどからなる）、給電オン／オフスイッチなど備えている。なお図２に示すごとく、電源自体に、太陽電池や光センサを備えた構成としてもよい。
【実施例１】
【００１７】  以下、本考案の一実施形態における線状発光体を図面とともに説明する。図１は本考案の一実施形態における線状発光体の概略構成図、図２は本考案を構成するもう一つの電源の概略構成斜視図である。【００１８】  図１に示す線状発光体１００は、入射光を一端側から他端側に導光すると共に側面が光るよう構成した導光線１と導光板４０とを連繋してなり、前記導光線１の一端側から入射したＬＥＤ２光源の光により前記導光線１の側面と導光板４０とが発光する構成とした。詳しくは、導光線１の一端側はＬＥＤ２の近傍に配設され、他端側は透光性のＡＢＳ樹脂からなる導光板４０の貫通孔４２に挿通され、接着剤（図示せず）などで固定して連繋されている。貫通孔４２の一端側は詰栓４１により封止されている。導光板４０は導光線１の側面から出る光と、詰栓４１の端面から乱反射した光とで明るく光る。明るさは導光線１の側面から出る光より明るい。【００１９】  電源３は交流を所定電圧の直流に変換した後、電線３０を介してＬＥＤ２に供給している。例えば、３Ｖ，１０ｍＡなどである。なお交流電源を用いることに代え、乾電池や水銀電池を用いる構成としてよいことは言うまでもない。さらに、図２に示すごとく太陽電池７０をバッテリ８０で蓄電しておき、光センサ９２の反応に応じて電力を供給するようにしてもよい。【００２０】  上記構成により本考案の線状発光体１００は、発光面積が大きく、よく目立ち、視認性が高まる。また、装飾照明としても利用できる。
【実施例２】
【００２１】  図３は本考案のもう一つの実施形態における線状発光体２００の概略構成図を示す。線状発光体２００は、複数の導光線１を導光性接続部材６０で直列に連繋してなり、前記連繋した導光線の一端側から入射したＬＥＤ光源の光により前記複数の導光線１の側面と前記導光性接続部材６０とが発光する構成とした。図３の場合、３本の導光線１を２個の導光性接続部材６０で接続した例を示す。接続する導光線１の本数や導光性接続部材６０の個数を任意に設定してよいことは言うまでもない。【００２２】  前記導光性接続部材６０は実施例１で述べた透光板４０と同様、透光性のＡＢＳ樹脂からなる。図５に示すように、導光性接続部材６０は貫通孔６１を備えた筒状体をなし、両側から挿通した導光線１、１を接着剤（図示せず）などで固定して連繋する。
実施例２における線状発光体２００は、階段の踏板や手摺りの照明、自動車の各部照明、装飾看板などに用いることができる。
【実施例３】
【００２３】  図４は本考案のもう一つの実施形態における線状発光体３００の概略構成図を示す。線状発光体３００は、複数の導光線１を導光性接続部材６０で直列に連繋してなり、前記連繋した導光線の一端側からＬＥＤ光源を入射させると共に、連繋した導光線１の他端側からもＬＥＤ光源の光を入射させ、一端側から入射した光の色と他端側から入射した光の色とを異ならせた構成とした。実施例３の線状発光体３００は二色に発光し、視認性や装飾性が高まる。【００２４】  図６は本考案のもう一つの実施形態における線状発光体４００の概略構成図を示す。線状発光体４００は、複数の導光線１を導光性接続部材６０で略Ｕ字状に連繋してなり、前記連繋した導光線の一端側からＬＥＤ光源を入射させると共に、連繋した導光線１の他端側からもＬＥＤ光源の光を入射させ、前記一端側から入射した光の色と前記他端側から入射した光の色とを異ならせた構成とした。この場合の線状発光体４００も視認性や装飾性が高まる。そして、夜間などの散歩の際、人間の首や腕、犬の首などに装着することにより車や対向者から視認しやすくなる。勿論、自転車などの移動体に取り付けて使用してもよい。
【符号の説明】
【００２５】１  導光線
２  ＬＥＤ（発光ダイオード）
３、５０、５１、５２、５３  電源
１１  コア材
１２  クラッド材
２０  保持部材
２１  接着樹脂
３０  電線
４０  導光板
４１  詰栓
４２、６１  貫通孔
６０  導光性接続部材
７０  太陽電池
８０  バッテリ
９０  回路基板
９１  抵抗
９２  光センサ
１００、２００、３００、４００  線状発光体
【図１】
0003182297.tif 000003
【図２】
0003182297.tif 000004
【図３】
0003182297.tif 000005
【図４】
0003182297.tif 000006
【図５】
0003182297.tif 000007
【図６】
0003182297.tif 000008